(57)【要約】      （修正有）【課題】最近増大している屋外の金属、非金属類やその他の資源の盗難や、倉庫に積んでいるお米等の盗難の被害を抑止する。【解決手段】細い導線をネットに組み込んで適当な数のモーションセンサーを取り付けセンサーが働くと断線警報器を作動させて、警報を出して威嚇したり通報する。【選択図】図３
0003136699.tif 000002
【実用新案登録請求の範囲】
【請求項１】
複数のセンサーとそれを接続する電線と電線を装着するネットと威嚇音を出す警報装置からなり、ネットを切ったり、引っ張ったり、動かすことにより警報装置から威嚇する警報音が発生して盗難を防ぐ仕組みのネットセンサー。
【請求項２】
複数のセンサーとそれを接続する電線と電線を装着するネットと通報するための電波送信機からなり、ネットを切ったり、引っ張ったり、動かすことにより電波を出して、通報装置を作動させる仕組みのネットセンサー。
【考案の詳細な説明】
【技術分野】
【０００１】近年、屋外に無造作に置いている鉄くずや資源ごみ、建設現場の高価な鉄骨やステンレス製品、銅製品等の盗難被害が急速に増加している。また農家の倉庫に積んである出荷前のお米が大量に盗まれる被害も起きている。
本考案はこのように主に屋外に置かれている資源や、製品の盗難被害を抑止するために利用される。【０００２】従来より、屋外におかれた資源や製品の防犯対策には、赤外線ビームセンサーや、監視カメラ、テープスイッチ、チューブスイッチ等を利用している。
赤外線ビームセンサーは障害物のない広いエリヤに効果的であるが風によるごみや、落ち葉等による誤作動が多くまた電流を多く消費するため、ＡＣ１００Ｖ等の大きい電源が必要であった。そして設置工事に多くの費用がかかった。監視カメラは威嚇効果があるが盗まれた後の録画では盗まれたものを取り戻すことは難しい。
また踏んだ圧力でスイッチが入るテープスイッチやチューブスイッチは境界線に敷設するセンサーであり、製品全体をカバーできないので泥棒はスイッチの部分を避けて歩いて持っていくことが可能である。
【考案が解決しようとしている課題】
【０００３】ネットセンサーは網状のため、製品などの目的物に直接、覆いかぶせることにより盗難を防止するものであり、目的物の大小にかかわらず使用できる。消費電流が少ないので電源は電池で十分であり、設置が簡単で比較的安価に製品化できる。
【課題を解決するための手段】
【０００４】すなわち、［図２］のネットセンサーの動作原理図においてネット全体に細い電線を組み込んでおき、常時わずかな電流が流れるように回路上、閉の状態にしておき回路が一箇所でも開の状態になると断線警報回路が働いて警報やランプで犯人を威嚇したり、電波を出して通報する仕組みである。
設置方法は断線警報器１個の場合［図１］のごとくまず
▲１▼ネットセンサーのネットを目的物にかぶせる。
▲２▼警報器のスイッチを入れてネットの中央部又は見つかりにくい場所に設置する。
▲３▼約１０秒程度の後、警戒モードとなる。
または、
▲１▼ネットセンサーのネットを目的物にかぶせる。
▲２▼警報器のスイッチを入れてネットの中央部又は見つかりにくい場所に設置する。
▲３▼リモコン送信機で離れた位置から警戒モードにする。
警戒モードではネットに組み込まれた電線には常時わずかな電流が流れており、センサーが働くと回路が開き警報を出して犯人を威嚇したり、電波を出してひそかに関係先に通報するものである。警報器とネットは目的物の形状、大きさ、個数等により、複数個つないで使用できる。（［図４］参照。
センサーは必要に応じて何個でも追加できる。
【考案の効果】
【０００５】屋外の盗難については比較的簡単に侵入でき、建設現場、工場、農場等では最近の盗難に頭を悩ませている。
本装置は比較的安価なコストで小さなものから、大きな建設用資材、鉄骨、農家の倉庫の収穫後のお米、展示会場の展示物の防犯等、多くの業界で使用できる。
【考案を実施するための最良の形態】
【０００６】ネットに組み込まれる電線は丈夫でやわらかく、細く目立たないものが望ましい。
警報器および警報器内に組み込まれる電波送信機は小型で電流消耗をできるだけ小さくする必要がある。センサーは誤作動がないよう適切なセンサーと動作タイミングをワンチップマイコン等でプログラムする必要がある。センサーが働くと電波を出して知らせる場合は携帯電話を直接警報器の中に組み込むか又は携帯電話を内蔵した中継送信機を別に設置して通報する方法が最良の形態である。
【実施例】
【０００７】農家の倉庫の出荷前のお米にセンサーネットで覆い装置を警戒状態にしておく。
トラックで深夜、複数の人間が倉庫に忍び込みネットをはがして、袋入りのお米を運び出そうとして、センサーネットははがしたときモーションセンサーが働き電波を出す。
電波は近くの中継局を経由して、オーナーに連絡が行き知らせることができる。
【産業上の利用可能性】
【０００８】最近、屋外に放置している資材、資源、製品等の盗難が増大している。屋外の場合比較的簡単に盗まれることが多く防ぎようがないのが現状である。
本装置は次のような場所で利用されると効果的である。
▲１▼建設現場や工場の鉄骨の盗難防止に利用する。
▲２▼農家の倉庫の出荷前のお米や作物の盗難防止に利用する。
▲３▼展示会場の展示品の盗難防止に利用する。
▲４▼トラックの積荷の盗難防止に利用する。
【図面の簡単な説明】
【図１】本考案の使用イメージ図である。
【図２】本考案のブロック図である。
【図３】本考案の動作原理図である。
【図４】警報器２個、ネット２個のときの接続図である。
【図５】設置例である。
【図６】モーションセンサーの動作例である。
【図１】
0003136699.tif 000003
【図２】
0003136699.tif 000004
【図３】
0003136699.tif 000005
【図４】
0003136699.tif 000006
【図５】
0003136699.tif 000007
【図６】
0003136699.tif 000008
【手続補正書】
【提出日】平成19年8月20日(2007.8.20)
【手続補正１】
【補正対象書類名】実用新案登録請求の範囲
【補正対象項目名】全文
【補正方法】変更
【補正の内容】
【実用新案登録請求の範囲】
【請求項１】
複数のセンサーと、該複数のセンサー同士を接続する電線と、該電線に装着されたネットと、威嚇音を出すことのできる警報装置からなり、上記ネットを切ったり、引っ張ったり、動かすことによって、上記警報装置から威嚇するための警報音が発生して、盗難を防ぐ仕組みのネットセンサー。
【請求項２】
複数のセンサーと、該複数のセンサー同士を接続する電線と、該電線に装着されたネットと、通報するための電波送信機からなり、上記ネットを切ったり、引っ張ったり、動かすことによって、上記電波送信機から電波を出して、通報する仕組みのネットセンサー。
【手続補正２】
【補正対象書類名】明細書
【補正対象項目名】全文
【補正方法】変更
【補正の内容】
【考案の詳細な説明】
【技術分野】
【０００１】
本考案は、主に屋外に置かれている資源や、製品の盗難被害を抑止するために利用されるネットセンサーに関する。
【背景技術】
【０００２】
近年、屋外に無造作に置いてある鉄くずや資源ごみ、建設現場の高価な鉄骨やステンレス製品、銅製品等の盗難被害が急速に増加している。また農家の倉庫に積んである出荷前のお米が大量に盗まれる被害も起きている。
【０００３】
従来より、屋外に置かれた資源や製品の防犯対策には、赤外線ビームセンサーや、監視カメラ、テープスイッチ、チューブスイッチ等を利用している。
赤外線ビームセンサーは、障害物のない広いエリアに効果的であるが、風によるごみや、落ち葉等による誤作動が多く、また電流を多く消費するため、ＡＣ１００Ｖ等の大きい電源が必要であった。そして設置工事に多くの費用がかかった。
監視カメラは、威嚇効果があるが、盗まれた後に録画を見ても盗まれたものを取り戻すことは難しい。
また、踏んだ圧力でスイッチが入るテープスイッチやチューブスイッチは、境界線に敷設するセンサーであり、製品全体をカバーできないので、泥棒がスイッチの部分を避けて歩いて盗難品を持っていくことが可能である。
【考案の開示】
【考案が解決しようとする課題】
【０００４】
本考案は、網状のため、製品などの目的物に直接、覆いかぶせることにより盗難を防止することができ、目的物の大小にかかわらず使用することができ、消費電流が少ないので電源は電池で十分であり、設置が簡単で比較的安価に製品化できるネットセンサーを提供することを目的とする。
【課題を解決するための手段】
【０００５】
本考案は、下記の［１］〜［２］を提供するものである。
［１］  複数のセンサーと、該複数のセンサー同士を接続する電線と、該電線に装着されたネットと、威嚇音を出すことのできる警報装置からなり、上記ネットを切ったり、引っ張ったり、動かすことによって、上記警報装置から威嚇するための警報音が発生して、盗難を防ぐ仕組みのネットセンサー。
［２］  複数のセンサーと、該複数のセンサー同士を接続する電線と、該電線に装着されたネットと、通報するための電波送信機からなり、上記ネットを切ったり、引っ張ったり、動かすことによって、上記電波送信機から電波を出して、通報する仕組みのネットセンサー。
【考案の効果】
【０００６】
屋外では比較的簡単に侵入できることから、建設現場、工場、農場等では、最近の盗難に頭を悩ませている。
本考案のネットセンサーは、比較的安価なコストで、小さなものから、大きな建設用資材、鉄骨、農家の倉庫の収穫後のお米、展示会場の展示物等までを対象にした防犯のために多くの業界で使用できる。
【考案を実施するための最良の形態】
【０００７】
本考案のネットセンサー中のネットに組み込まれる電線は、丈夫でやわらかく、細く目立たないものが望ましい。
断線警報器内に組み込まれる警報装置および断線警報器内に組み込まれる電波送信機（図３の符号２５、２７参照；符号２５は警報装置または電波送信機であり、符号２７は断線警報器である。）は、小型で電流消耗をできるだけ小さくする必要がある。
ネットセンサーは、誤作動がないように、適切なセンサーと動作タイミングをワンチップマイコン等でプログラムする必要がある。センサーが働くと電波を出して知らせる場合は、携帯電話を直接断線警報器の中に組み込むか、又は携帯電話を内蔵した中継送信機を別に設置して通報する方法が最良の形態である。
【０００８】
図２のネットセンサーの動作原理図において、ネット１２全体に細い電線１１を組み込んでおき、常時わずかな電流が流れるように回路上、閉の状態にしておき、センサー１０が働いて回路が一箇所でも開の状態になると、断線して警報回路が働いて、警報装置または電波送信機１３が作動し、警報やランプで犯人を威嚇したり、電波を出して通報する仕組みである。
ネットセンサーの設置方法としては、断線警報器１が１個の場合、図１の（ａ）に使用状態を示すように、まず、（１）ネットセンサーのネット２を目的物（資材、商品、製品等）にかぶせ、（２）断線警報器１のスイッチを入れて、断線警報器１をネット２の中央部又は見つかりにくい場所に設置し、（３）約10秒程度の後、警戒モードとなるようにするか、または、（１）ネットセンサーのネット２を目的物にかぶせ、（２）断線警報器１のスイッチを入れて、断線警報器１をネット２の中央部又は見つかりにくい場所に設置し、（３）リモコン送信機で、離れた位置から警戒モードにするという方法を採り得る。
【０００９】
図１の（ｂ）は、盗難発生時の状態を示す。符号３は、断線警報器（警報装置または電波送信機を組み込んだもの）である。符号４はネットである。断線警報器３によって、泥棒の侵入がオーナーに通報される。
【００１０】
警戒モードでは、ネットに組み込まれた電線には常時わずかな電流が流れており、センサーが働くと、回路が開き警報を出して犯人を威嚇したり、あるいは、電波を出してひそかに関係先に通報するものである。断線警報器とネットは、目的物の形状、大きさ、個数等に応じて、複数個つないで使用できる（図４参照）。
センサーは必要に応じて何個でも追加できる。
【００１１】
図３中、（ａ）は、ネットセンサーの動作原理図であり、（ｂ）は、センサーの非動作時の状態を示す図であり、（ｃ）は、センサーの動作時の状態を示す図である。
図３の（ａ）において、符号２０は常時「閉」状態のセンサー、符号２１はネット、符号２２は電線、符号２３は電池、符号２４は電源スイッチ、符号２５は警報装置または電波送信機、符号２６はトランジスターまたはＩＣ、符号２７は断線警報器である。
図３の（ｂ）において、常時、電流はネットのほうに流れており、常時、センサーは閉じている。図３の（ｃ）において、ネットが断線すると、電流は、警報装置または電波送信機側に流れて、警報を鳴らすか又は電波を出す。
【００１２】
図４は、断線警報器２個とネット２個を組み合わせた場合の接続図である。
図４中、符号３０，３１はネット、符号３２は電線、符号３３は電池、符号３４は電源スイッチ、符号３５は警報装置または電波送信機、符号３６はトランジスターまたはＩＣ、符号３７は断線警報器である。
【００１３】
図５は、ネットセンサーの設置例を示す。
図５中の（ａ）は、建設資材等に対してネットセンサーを設置した例を示す。符号４０は建設資材等、符号４１はネット、符号４２は断線警報器である。
図５中の（ｂ）は、お米、セメント等に対してネットセンサーを設置した例を示す。符号４３はお米、セメント等、符号４４はネット、符号４５は断線警報器である。
【００１４】
図６は、各種のモーションセンサーを示す図である。
図６中の（１）は、コイルスプリング式モーションセンサーを示す。符号５０は電極Ａ、符号５１は電極Ｂである。コイルスプリング式モーションセンサーは、針状の電極Ａ（符号５０）と、やわらかいスプリング状の電極Ｂ（符号５１）とからなり、静止時には、電極Ａ（符号５０）と電極Ｂ（符号５１）とが連続で接触しており、振動時には、スプリングが動くことによって瞬間的にＯＮ／ＯＦＦを繰り返す無指向性のセンサーである。
図６中の（２）は、金属ボール式モーションセンサーを示す。符号５２は電極Ａ、符号５３は電極Ｂ、符号５４は金属ボールである。金属ボール式モーションセンサーは、電極Ａ（符号５２）、電極Ｂ（符号５３）及び金属ボール（符号５４）を有し、静止時には、電極Ａ（符号５２）と電極Ｂ（符号５３）とが連続で接触しており、振動時には、チャタリング（ＯＮ／ＯＦＦの繰り返し）をする機械式無指向性のセンサーである。金属ボール式モーションセンサーは、どの方向に動かしても、チャタリングを起こして瞬時に開状態になる。
図６中の（３）は、角速度センサー式モーションセンサーを示す。符号５５は振動用ピエゾセラミックス、符号５６は検出用ピエゾセラミックス、符号５７はエリンバー、符号５８は支持ワイヤである。振動体に回転角速度が加わると、コリオリ力が発生し、その結果、電圧が発生するという原理を利用したものである。
【実施例】
【００１５】
農家の倉庫内の出荷前のお米をネットセンサーで覆い、ネットセンサーを警戒状態にしておく。トラックで深夜、複数の人間が倉庫に忍び込みネットを剥がして、袋入りのお米を運び出そうとしたときに、モーションセンサーが働き、電波を出す。電波は近くの中継局を経由して、オーナーに届き、泥棒の侵入を知らせる。
【産業上の利用可能性】
【００１６】
最近、屋外に放置している資材、資源、製品等の盗難が増大している。屋外の場合、比較的簡単に盗まれることが多く、防ぎようがないのが現状である。
本考案のネットセンサーは、次のように利用すると効果的である。
（１）建設現場や工場の鉄骨の盗難防止に利用する。
（２）農家の倉庫内の出荷前のお米や作物の盗難防止に利用する。
（３）展示会場の展示品の盗難防止に利用する。
（４）トラックの積荷の盗難防止に利用する。
【図面の簡単な説明】
【００１７】
【図１】本考案のネットセンサーの使用状態を示す図である。
【図２】本考案のネットセンサーのブロック図である。
【図３】本考案のネットセンサーの動作原理を示す図である。
【図４】断線警報器２個、ネット２個を用いた場合の接続図である。
【図５】本考案のネットセンサーの設置例を示す図である。
【図６】モーションセンサーの例を示す図である。
【符号の説明】
【００１８】
１，３    断線警報器
２，４    ネット
１０，２０    センサー
１１，２２，３２    電線
１２，２１，３０，３１，４１，４４    ネット
１３，２５，３５    警報装置または電波送信機
２３，３３    電池
２４，３４    電源スイッチ
２６，３６    トランジスターまたはＩＣ
２７，３７，４２，４５    断線警報器
４０    建設資材等
４３    お米、セメント等
５０，５２    電極Ａ
５１，５３    電極Ｂ
５４    金属ボール
５５    振動用ピエゾセラミックス
５６    検出用ピエゾセラミックス
５７    エリンバー
５８    支持ワイヤ
【手続補正３】
【補正対象書類名】図面
【補正対象項目名】全図
【補正方法】変更
【補正の内容】
【図１】
0003136699.tif 000009
【図２】
0003136699.tif 000010
【図３】
0003136699.tif 000011
【図４】
0003136699.tif 000012
【図５】
0003136699.tif 000013
【図６】
0003136699.tif 000014